(57)【要約】      （修正有）【課題】メッセージの内容をその時代に戻った気分で読むことができるメッセージ用紙を収納する新聞ケースを提供する。【解決手段】新聞ケース１００は、四つ折りした新聞を内部に収納できる寸法の平らな箱状の本体１からなり、当該本体は、底板の周囲から立設する枠体３の一辺端縁に折り曲げ可能に連結し閉じた際に重なる形の複数の蓋１１を有し、蓋を閉じた状態で保持する蓋保持部を有すると共に、本体の表面にはコーティングが施され、かつ、本体の表面に筆記具で記入する記入部１７を有する。内部に収納するのは、メッセージ用紙と新聞である。次に、この日時に発刊された新聞を前記メッセージ用紙と共に本体１に収納する。メッセージ用紙及び新聞を本体に収納したら、蓋を順次閉じる。【選択図】図１
0003229015.tif 000002
【実用新案登録請求の範囲】
【請求項１】
四つ折りした新聞を内部に収納できる寸法の平らな箱状の本体からなり、当該本体は、底板２の周囲から立設する枠体の一辺端縁に折り曲げ可能に連結した蓋を有し、蓋を閉じた状態で保持する蓋保持部を有すると共に、前記本体の表面にはコーティングが施され、かつ、当該本体の表面に筆記具で記入する記入部を有することを特徴とする新聞ケース。
【請求項２】
前記蓋は、閉じた際に重なる形で複数設けられ、上になる蓋の裏側に接着部を設けた請求項１に記載の新聞ケース。
【請求項３】
更に、本体に収納するメッセージ用紙を有することを特徴とする請求項１または２に記載の新聞ケース。
【請求項４】
請求項１から３のいずれか一つに記載の新聞ケースと、
アプリケーションを起動するための前記本体に設けた二次元コードと、
日付または時期、及び、送り先と名前を入力する入力部と、
日付または時期に基づいて新聞を選択すると共に前記送り先に当該新聞を送る指令を出す受発注部と、
を有することを特徴とする新聞ケースシステム。
【考案の詳細な説明】
【技術分野】
【０００１】
本考案は、記念日等に関連する社会情勢や世相の記事などを有する新聞をメッセージ用紙と共に収納する新聞ケースおよび新聞ケースシステムに関するものである。
【背景技術】
【０００２】
新聞はそのままの状態で再利用されることが少なく、そのほとんどが再生紙として利用されている。再生紙として使用するには収集や加工のコストがかかるうえ、せっかくの記事が消滅して、ユーザの記憶から消えていく。
【０００３】
一方、家族等の間で何かの記念日があったとすると、後日、その記念日を思いだすと共にその当時の世相や出来事を思い起こして、との当時の気分に戻り懐かしむことが多い。
【０００４】
なお、新聞を収納して保管する場合も、古新聞をまとめて保管する袋や構造物が殆どであり、当時の出来事を思い出すために特定の日付の新聞に焦点を当てて保管するようなものは提案されていない。
【先行技術文献】
【特許文献】
【０００５】
【特許文献１】実用新案登録第３１０８６１５号公報
【考案の概要】
【考案が解決しようとする課題】
【０００６】
従来では、家族等にメッセージを送る場合にその当時を思い出すのに有用な情報を同時に送ることがないことから、メッセージを受け取った人の記憶に頼るものとなり、メッセージのもつ臨場感がうまく伝わらないことがあった。本考案は、係る問題点を解決するためになされたものである。
【課題を解決するための手段】
【０００７】
この新聞ケースは、四つ折りした新聞を内部に収納できる寸法の平らな箱状の本体からなり、当該本体は、底板２の周囲から立設する枠体の一辺端縁に折り曲げ可能に連結した蓋を有し、蓋を閉じた状態で保持する蓋保持部を有すると共に、前記本体の表面にはコーティングが施され、かつ、当該本体の表面に筆記具で記入する記入部を有することを特徴とする。前記蓋は、閉じた際に重なる形で複数設けられ、上になる蓋の裏側に接着部を設けるようにするのが好ましい。更に、本体に収納するメッセージ用紙を有するものとするのが好ましい。
【０００８】
また、この新聞ケースシステムは、上記の新聞ケースと、アプリケーションを起動するための前記本体に設けた二次元コードと、日付または時期、及び、送り先と名前を入力する入力部と、日付または時期に基づいて新聞を選択すると共に前記送り先に当該新聞を送る指令を出す受発注部とを有することを特徴とする。
【図面の簡単な説明】
【０００９】
【図１】この考案の実施の形態1に係る新聞ケースを示す斜視図である。
【図２】この考案の実施の形態1に係る新聞ケースを示す斜視図である。
【図３】この考案の実施の形態1に係る新聞ケースを示す斜視図である。
【図４】この考案の実施の形態1に係る新聞ケースを示す斜視図である。
【図５】この考案の実施の形態２に係る新聞ケースシステムを示す構成図である。
【図６】新聞ケースシステムを示す機能ブロック図である。
【図７】動作を示すフローチャートである。
【図８】新聞ケースシステムの動作を示す説明図である。
【考案を実施するための形態】
【００１０】
（実施の形態１）
図1乃至図４は、この考案の実施の形態1に係る新聞ケースを示す斜視図である。この新聞ケース１００は、本体１が略して平型の箱状体であり、上面に二重に蓋が設けられる。本体１は、底板２と底板２の周囲に直立形成した枠体３と前記蓋とからなる。蓋は、第一蓋１１、第二蓋１２、第三蓋１３からなる。第一蓋１１は、矩形であるが上端部に切り欠き部１４を有する。これにより、第一蓋１１を開きやすく且つデザイン上の特徴を持たせることができる。
【００１１】
第一蓋１１の下端部側長辺端縁には、差し込み用の突起部１５が設けられる。反対側の長辺端縁は枠部と折り曲げ可能に連結している。第二蓋１２は、対向する長辺端縁に折り曲げ可能に連結しており、枠体３を全て覆うことができる矩形である。また、下端部長辺端縁には、前記突起部１５を差し込む切り込み１６が設けられる。
【００１２】
次に、第三蓋１３は、枠体３の対向する短辺に折り曲げ可能に設けた矩形のものであり、両方を折り曲げた状態でも中央付近は開放状態となる。枠体３の幅により決まる本体１の厚さは、標準的な新聞を四つ折りした場合の厚さより大きいものとする。好ましくは、新聞が２つ収納できる程度の厚さとする。これにより、新聞に付属している広告類もまとめて収納できるものとなる。また、枠体３の平面寸法は、新聞を四つ折りした場合の大きさより若干大きくする。
【００１３】
本体１の表面は、撥水及び耐久性向上のため、ＰＥ又はＰＰ樹脂によるコーティングがなされる。少なくとも外側になる面には当該コーティングを設けるのが好ましい。
【００１４】
最も上になる第一蓋１１の表面には、記入部１７が設けられる。記入部１７は、鉛筆やマジックで記入しやすい素材で構成される。また、前記コーティングがない状態とすることで構成しても良い。この記入部１７の上には、透明のシール１８が貼り付けられる。これにより、記入内容が水でぼやけたり、消えたりするのを防止し、長期間に渡って判読可能な状態を維持できる。
【００１５】
また、記入部１７は、本のように立てかけた際に背表紙に相当する位置にも設けられる。この場合も記入部１７は、インクやマジック、鉛筆で記入しやすい素材で構成する。または、前記コーティングがない状態にする。また、記入後に透明なシール１８を貼り付け可能とする。
【００１６】
さらに、第一蓋１１の端縁裏面には、両面テープ１９が設けられる。この両面テープ１９は離型紙を表層に有し、使用時に当該離型紙を剥がすものとする。
【００１７】
この新聞ケース１００の使用法を説明する。内部に収納するのは、メッセージ用紙５０と新聞である。メッセージ用紙５０は、任意のもので良い。子供や友人に宛てた自筆のものが好ましく、所望の絵柄やフォーマットからなる専用の用紙とするのが良い。このメッセージ用紙５０には、年月日を記入する日付記入欄５１が設けられる。または、季節などを記入する時期記入欄でも良い。すなわち、メッセージを送る相手に特定の日や月や季節などを想起させる欄であれば良い。
【００１８】
次に、この日時に発刊された新聞を前記メッセージ用紙５０と共に本体１に収納する。この新聞は日刊紙であることが好ましい。また、新聞と共に配達される広告類も世相を表していることが多いことから、新聞と共に収納しても良い。メッセージ用紙５０及び新聞などを本体１に収納したら、蓋を順次閉じる。第一蓋１１の記入部１７や背表紙の記入部１７に、収納した内容をメモしておく。インクなどで記入した後、この記入部１７の上に透明のシール１８を貼り付けて保護する。
【００１９】
第一蓋１１の突起部１５を第二蓋１２の折り曲げ部に設けた切り込みに差し込んで当該第一蓋１１を固定する。また、必要により第一蓋１１の離型紙を剥がして第一蓋１１を第二蓋１２に貼り付けて容易に開封できないようにしても良い。これにより、メッセージ用紙５０と新聞が新聞ケース１００内に収納される。この収納した状態でメッセージの宛先に記載した相手に送る。
【００２０】
相手は、所定の時期に本体１を開封して中身のメッセージ用紙５０に記載のメッセージを読む。これと共に、その時期にどのようなことがあったのか、新聞を読んで思い出す。これにより、メッセージの内容をその時代に戻った気分で読むことができる。
【００２１】
（実施の形態２）
図５は、この考案の実施の形態２に係る新聞ケースシステムを示す構成図である。図６は、当該新聞ケースシステムを示す機能ブロック図である。この新聞ケースシステム２００のハードウェアは、二次元コード２０１を設けた新聞ケース１００と、携帯情報端末２５０と、ネットワークを介して接続するサーバ２６０とから構成される。また、図６に示すように、新聞ケースシステム２００は、新聞ケース１００と、前記二次元コード２０１の読み取り情報に基づいて必要情報を入力する入力部２０２と、新聞在庫の受発注を行う受発注部２０３と、所定の情報を画面上に表示させる表示部２０４とを有する。入力部２０２は、携帯情報端末２５０のハードウェアとソフトウェアから構成され、受発注部２０３は、携帯情報端末２５０及びネットワークを介して接続される所定のサーバ２６０により構成される。
【００２２】
入力部２０２は、携帯情報端末２５０に搭載されているカメラを用いて前記二次元コード２０１を撮影し、所定の画面を当該携帯情報端末２５０の画面上に表示させる。
【００２３】
図７は、当該動作を示すフローチャートである。図８は、この新聞ケースシステムの動作を示す説明図である。ユーザは、新聞ケース１００に表示されている二次元コード２０１を携帯情報端末２５０、例えばスマートフォンのカメラにより撮影する（ステップＳ１）。これにより、スマートフォンにインストールされているアプリケーションが起動し、スマートフォンの画面上に日付や時期（何年度のどの季節）を入力する欄６１と、住所氏名の撮影画面６２が表示される。図８（ａ）に画面６０の表示入力例を示す。
【００２４】
ユーザは、当該画面６０において、日付を入力すると共に自分の住所及び氏名を手書きした紙面を撮影する（ステップＳ２）。住所氏名を手書きしたのは、本システムのユーザの対象年齢が高く、入力が面倒と思うことが多いためである。なお、別の入力方法としてスマートフォンに記憶してされたユーザの住所氏名を自動的に入力するようにしても良いし、キー入力や音声入力するようにしても良い。
【００２５】
続いて、撮影した画像や入力内容のデータは、ネットワークを介してサーバ２６０の受発注部に送信される。受発注部２０３は、受領したデータに含まれる日付や時期に基づいて適切な日時の新聞を選択すると共に、在庫情報を調べる（ステップＳ３、Ｓ４）。新聞の在庫状況は、別のデータベース２７０に記憶されリアルタイムで更新されている。また、指定の日付の新聞を優先して選択するものとする。当日の新聞が在庫切れであれば、その前後数日の間の日付の新聞で在庫があるものを選択する。季節が指定されている場合は、その年の季節内の日付の新聞を選択する。
【００２６】
適切な新聞の在庫がなければ、受発注部２０３は、ユーザの携帯情報端末２５０の画面６０に「在庫なし」の情報を表示させる（ステップＳ５）。ユーザは、再び日付や時期を入力し直すか、或いは発注を中止する。
【００２７】
受発注部２０３は、新聞の在庫を確認したら、表示部２０４により在庫の新聞の一覧を表示させる（ステップＳ６）。例えば、図８（ｂ）に示すように、画面６０に発刊日と共にＡＡ新聞、ＢＢ新聞等の一覧が表示される。ユーザは、このリストから任意の新聞を選択する。受発注部２０３は、選択された新聞の発送を、データベース２７０に含まれる住所及び氏名に基づき、サーバの管理者などに指示する（ステップＳ７）。または、別の発送システムに対して指示する。新聞の発送は、代金引き換えにより行う。
【００２８】
このシステム２００では、操作を極力簡単にすることで、ＩＴ機器やシステムの操作が好きではないユーザに対して簡単な方法で新聞ケースシステム２００のサービスを受けることができる。また、古新聞を販売できるため、リユースで収益を上げることができる。
【符号の説明】
【００２９】
１００  新聞ケース
１  本体
２  底板
３  枠体
１１  第一蓋
１２  第二蓋
１３  第三蓋
１７  記入部
【図１】
0003229015.tif 000003
【図２】
0003229015.tif 000004
【図３】
0003229015.tif 000005
【図４】
0003229015.tif 000006
【図５】
0003229015.tif 000007
【図６】
0003229015.tif 000008
【図７】
0003229015.tif 000009
【図８】
0003229015.tif 000010